(57)【要約】      （修正有）【課題】より容易に抜き取れるように改良されたビョウを提供する。【解決手段】取付面固定面部１１と、取付面固定面部に連設された物品保持部１２と、取付面固定面部から裏面側に切り起こされて形成された刺突突起部１３と、取り外し具により取り外すための取り外し部１４とを備え、刺突突起部を取付面部に刺突することにより取付面固定面部を取付面部に固定し、物品保持部により物品を保持して取付面部に固定するビョウ１０であって、取り外し部は取付面固定面部の周縁部に設けられた構成とされている。【選択図】図１
0003213011.tif 000002
【実用新案登録請求の範囲】
【請求項１】
取付面固定面部と、前記取付面固定面部に連設された物品保持部と、前記取付面固定面部から裏面側に切り起こされて形成された刺突突起部と、取り外し具により取り外すための取り外し部とを備え、前記刺突突起部を取付面部に刺突することにより前記取付面固定面部を前記取付面部に固定し、前記物品保持部により物品を保持して前記取付面部に固定するビョウであって、
前記取り外し部は前記取付面固定面部の周縁部に設けられていることを特徴とするビョウ。
【請求項２】
前記取付面固定面部は平面略逆三角形の板状に形成され、頂角部には突起により形成された前記物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられていることを特徴とする請求項１記載のビョウ。
【請求項３】
前記物品保持部は側面略逆コ字形のベルト状に形成され、前記取付面部との間にケーブルを保持するケーブル保持部として形成されると共に、前記取付面固定面部は、前記ケーブル保持部の両側部において、夫々、側方へ延設された一対の固定片部として形成され、前記取り外し部は、前記取付面固定面部の周縁部の一部に形成された折曲片部として構成されていることを特徴とする請求項１記載のビョウ。
【請求項４】
前記取付面固定面部は平面略逆五角形の板状に形成され、一対の対向する側辺部から、夫々、表側へ突出された挟持片により形成された物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられていることを特徴とする請求項１記載のビョウ。
【請求項５】
前記刺突突起部は、平面三角形状の切り起こし片部として形成されていることを特徴とする請求項１乃至４のいずれか１項に記載のビョウ。
【請求項６】
刺突突起部により取付面部に固定されたビョウを抜き取り可能に形成された取り外し具であって、
取り外し具本体は全体平面細長板状に形成され、長さ方向一端部寄りの一方の面部には、ビョウに形成された抜き取り用孔部に挿入係止しうる凸部が形成されると共に、長さ方向他端部にはビョウの取付面固定面部に形成された折曲片部と取付面部との間に挿入しうる差し込み部が形成され、
前記取り外し具本体は、前記凸部と前記差し込み部との間において、前記凸部寄りの部位で凸部方向に湾曲する第一の湾曲部と、前記差し込み部寄りの部位で反凸部方向に湾曲する第二の湾曲部とを有し、前記差し込み部は、前記凸部方向に折曲形成されていることを特徴とする取り外し具。
【考案の詳細な説明】
【技術分野】
【０００１】
本考案は、物品を保持して壁や床などの取付面部に固定することができるビョウと、このビョウを抜き取るための取り外し具の改良に関するものである。
【背景技術】
【０００２】
従来、特許文献１に開示されているように、壁などの取付面部に容易に物品を引っ掛けることができる箇所を形成することができるビョウと、このビョウを容易に抜き取ることができる取り外し具とがある。
【０００３】
この特許文献１に開示されたビョウ及び取り外し具は、その性能の良さから、多くの使用者に好評であった。
【０００４】
しかしながら、このビョウをさらにより容易に抜き取れるようにしてほしいとの要請が一部の人々の間からあった。
【先行技術文献】
【特許文献】
【０００５】
【特許文献１】実公昭５４−６５０９号公報
【考案の概要】
【考案が解決しようとする課題】
【０００６】
本考案は、以上のような従来の要請に応えるためのものであって、その課題は、さらにより容易に抜き取れるように改良されたビョウと、このビョウを抜き取るための取り外し具を提供することにある。
【課題を解決するための手段】
【０００７】
前記課題を解決するために、請求項１記載の考案にあっては、取付面固定面部と、前記取付面固定面部に連設された物品保持部と、前記取付面固定面部から裏面側に切り起こされて形成された刺突突起部と、取り外し具により取り外すための取り外し部とを備え、前記刺突突起部を取付面部に刺突することにより前記取付面固定面部を前記取付面部に固定し、前記物品保持部により物品を保持して前記取付面部に固定するビョウであって、前記取り外し部は前記取付面固定面部の周縁部に設けられていることを特徴とする。
従って、従来のビョウに比して、抜き取るとき支点となる前記取付面固定面部の縁部と前記取り外し部との間の長さが相対的に長くなる。
【０００８】
請求項２記載の考案にあっては、前記取付面固定面部は平面略逆三角形の板状に形成され、頂角部には突起により形成された前記物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられていることを特徴とする。
従って、前記取り外し部が抜き取り用孔なので、使用しなくてはならない材料がその分少なくなり、さらに、突起により形成された前記物品保持部に物品を引っ掛けて固定することができる。
【０００９】
請求項３記載の考案にあっては、前記物品保持部は側面略逆コ字形のベルト状に形成され、前記取付面部との間にケーブルを保持するケーブル保持部として形成されると共に、前記取付面固定面部は、前記ケーブル保持部の両側部において、夫々、側方へ延設された一対の固定片部として形成され、前記取り外し部は、前記取付面固定面部の周縁部の一部に形成された折曲片部として構成されていることを特徴とする。
従って、前記取り外し部が前記取付面固定面部の周縁部の一部に形成された折曲片部なので、容易に形成することができ、壁や床などの取付面部に前記刺突突起部を刺突するだけで、ケーブルを保持する前記ケーブル保持部が形成される。
【００１０】
請求項４記載の考案にあっては、前記取付面固定面部は平面略逆五角形の板状に形成され、一対の対向する側辺部から、夫々、表側へ突出された挟持片により形成された物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられていることを特徴とする。
従って、前記取り外し部が抜き取り用孔なので、使用しなくてはならない材料がその分少なくなり、前記抜取部が抜取用孔なので、使用しなければならない材料がその分少なくなり、前記挟持部で細長い物品を挟持することができる。
【００１１】
請求項５記載の考案にあっては、前記刺突突起部は、平面三角形状の切り起こし片部として形成されていることを特徴とする。
従って、前記刺突突起部の形成が容易なうえに、使用しなくてはならない材料もその分少なくなる。
【００１２】
請求項６記載の考案にあっては、刺突突起部により取付面部に固定されたビョウを抜き取り可能に形成された取り外し具であって、取り外し具本体は全体平面細長板状に形成され、長さ方向一端部寄りの一方の面部には、ビョウに形成された抜き取り用孔部に挿入係止しうる凸部が形成されると共に、長さ方向他端部にはビョウの取付面固定面部に形成された折曲片部と取付面部との間に挿入しうる差し込み部が形成され、前記取り外し具本体は、前記凸部と前記差し込み部との間において、前記凸部寄りの部位で凸部方向に湾曲する第一の湾曲部と、前記差し込み部寄りの部位で反凸部方向に湾曲する第二の湾曲部とを有し、前記差し込み部は、前記凸部方向に折曲形成されていることを特徴とする。
従って、請求項２乃至５記載のビョウのいずれの取り外しにも用いることができる。
【考案の効果】
【００１３】
請求項１記載のビョウにあっては、取付面固定面部と、前記取付面固定面部に連設された物品保持部と、前記取付面固定面部から裏面側に切り起こされて形成された刺突突起部と、取り外し具により取り外すための取り外し部とを備え、前記刺突突起部を取付面部に刺突することにより前記取付面固定面部を前記取付面部に固定し、前記物品保持部により物品を保持して前記取付面部に固定するビョウであって、前記取り外し部は前記取付面固定面部の周縁部に設けられた構成とされている。
従って、従来のビョウに比して、抜き取るとき支点となる前記取付面固定面部の縁部と前記取り外し部との間の長さが相対的に長くなる。
その結果、従来のビョウに比して、抜き取るとき支点となる前記取付面固定面部の縁部と前記取り外し部との間の長さが相対的に長くなるので、取り外し具でこのビョウを抜き取るに際し、てこの原理がより有利に働き、小さな力で、さらにより容易に抜き取ることができる。
【００１４】
請求項２記載のビョウにあっては、前記取付面固定面部は平面略逆三角形の板状に形成され、頂角部には突起により形成された前記物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられている。
従って、前記取り外し部が抜き取り用孔なので、使用しなくてはならない材料がその分少なくなり、さらに、突起により形成された前記物品保持部に物品を引っ掛けて固定することができる。
その結果、前記取り外し部が抜き取り用孔なので、使用しなくてはならない材料がその分少なくなり、さらに、突起により形成された前記物品保持部に物品を引っ掛けて固定することができるので、製造コストを低減することができるうえに、壁などに容易に物品を引っ掛けることができる箇所を形成することができる。
【００１５】
請求項３記載のビョウにあっては、前記物品保持部は側面略逆コ字形のベルト状に形成され、前記取付面部との間にケーブルを保持するケーブル保持部として形成されると共に、前記取付面固定面部は、前記ケーブル保持部の両側部において、夫々、側方へ延設された一対の固定片部として形成され、前記取り外し部は、前記取付面固定面部の周縁部の一部に形成された折曲片部として構成されている。
従って、前記取り外し部が前記取付面固定面部の周縁部の一部に形成された折曲片部なので、容易に形成することができ、壁や床などの取付面部に前記刺突突起部を刺突するだけで、ケーブルを保持する前記ケーブル保持部が形成される。
その結果、前記取り外し部が前記取付面固定面部の周縁部の一部に形成された折曲片部なので、容易に形成することができ、壁や床などの取付面部に前記刺突突起部を刺突するだけで、ケーブルを保持する前記ケーブル保持部が形成されるので、壁や床などの取付面部に容易にケーブルを配設することができる箇所を形成することができる。
【００１６】
請求項４記載のビョウにあっては、前記取付面固定面部は平面略逆五角形の板状に形成され、一対の対向する側辺部から、夫々、表側へ突出された挟持片により形成された物品保持部が設けられると共に、一対の対向する底角部には、夫々、前記刺突突起部が設けられ、前記取り外し部は貫通して形成された抜き取り用孔部として形成されており、前記取り外し部は前記刺突突起部よりも底辺部に近接して設けられている。
従って、前記取り外し部が抜き取り用孔なので、使用しなくてはならない材料がその分少なくなり、挟持片で形成された前記物品保持部で細長い物品を挟持することができる。
その結果、前記取り外し部が抜き取り用孔なので、使用しなくてはならない材料がその分少なくなり、挟持片で形成された前記物品保持部で細長い物品を挟持することができるので、壁などの取付面部に容易に傘や杖などの細長い物品を挟持することができる箇所を形成することができる。
【００１７】
請求項５記載のビョウにあっては、前記刺突突起部は、平面三角形状の切り起こし片部として形成されている。
従って、前記刺突突起部の形成が容易なうえに、使用しなくてはならない材料もその分少なくなる。
その結果、前記刺突突起部の形成が容易なうえに、使用しなくてはならない材料もその分少なくなるので、さらにより製造コストを低減することができる。
【００１８】
請求項６記載の取り外し具にあっては、刺突突起部により取付面部に固定されたビョウを抜き取り可能に形成された取り外し具であって、取り外し具本体は全体平面細長板状に形成され、長さ方向一端部寄りの一方の面部には、ビョウに形成された抜き取り用孔部に挿入係止しうる凸部が形成されると共に、長さ方向他端部にはビョウの取付面固定面部に形成された折曲片部と取付面部との間に挿入しうる差し込み部が形成され、前記取り外し具本体は、前記凸部と前記差し込み部との間において、前記凸部寄りの部位で凸部方向に湾曲する第一の湾曲部と、前記差し込み部寄りの部位で反凸部方向に湾曲する第二の湾曲部とを有し、前記差し込み部は、前記凸部方向に折曲形成された構成とされている。
従って、請求項２乃至５記載のビョウのいずれの取り外しにも用いることができる。
その結果、請求項２乃至５記載のビョウのいずれの取り外しにも用いることができるので、製造側は、それぞれのビョウに対応した取り外し具を製造する必要がないことから、全体の製造コストを低減することができ、使用者側は、それぞれのビョウを抜き取るに際し、１つの取り外し具さえあればよく便利である。
【図面の簡単な説明】
【００１９】
【図１】図１（ａ）は、本考案の第１実施形態のビョウの概略構成を示す斜視図であり、図１（ｂ）は、本考案の第１実施形態のビョウの概略構成を示す側面図である。
【図２】図２は、本考案の第１実施形態のビョウの使用例を示す図である。
【図３】図３（ａ）は、本考案の第１実施形態の取り外し具の概略構成を示す正面図であり、図３（ｂ）は、本考案の第１実施形態の取り外し具の概略構成を示す側面図である。
【図４】図４（ａ）は、本考案の第２実施形態のビョウの概略構成を示す斜視図であり、図４（ｂ）は、本考案の第２実施形態のビョウの概略構成を示す側面図である。
【図５】図５は、本考案の第２実施形態のビョウの使用例を示す図である。
【図６】図６（ａ）は、本考案の第３実施形態のビョウの概略構成を示す斜視図であり、図６（ｂ）は、本考案の第３実施形態のビョウの概略構成を示す側面図である。
【図７】図７は、本考案の第３実施形態のビョウの使用例を示す図である。
【図８】図８（ａ）は、本考案の第４実施形態のビョウの概略構成を示す平面図であり、図８（ｂ）は、本考案の第４実施形態のビョウの概略構成を示す側面図である。
【図９】図９は、本考案の第４実施形態のビョウの使用例を示す図である。
【考案を実施するための形態】
【００２０】
以下、本考案に係るビョウ及び取り外し具を、第１実施形態〜第４実施形態に基づき、図面を参照して説明する。
【００２１】
［第１実施形態］
先ず、第１実施形態の構成について説明する。
図１（ａ）及び図１（ｂ）は、本考案の第１実施形態のビョウ１０の概略構成を示している。
【００２２】
この第１実施形態のビョウ１０は、図１（ａ）及び図１（ｂ）に示したように、取付面固定面部１１と、取付面固定面部１１に連設された物品保持部１２と、取付面固定面部１１から裏面側に切り起こされて形成された刺突突起部１３，１３と、後述する取り外し具５０により取り外すための取り外し部としての抜き取り用孔部１４とを備え、刺突突起部１３，１３を、後述するように、壁６０などの取付面部に刺突することにより取付面固定面部１１を壁６０などの取付面部に固定し、物品保持部１２により掛け時計７０などの物品を保持して壁６０などの取付面部に固定するビョウである。
そして、取り外し部としての抜き取り用孔部１４は取付面固定面部１１の周縁部に設けられた構成とされている。
【００２３】
より具体的には、このビョウ１０は、金属製であり、取付面固定面部１１は平面略逆三角形の板状に形成され、頂角部１７には突起により形成された物品保持部１２が設けられると共に、一対の対向する底角部には、夫々、刺突突起部１３が設けられ、取り外し部は貫通して形成された円形の抜き取り用孔部１４として形成されており、取り外し部としての抜き取り用孔部１４は刺突突起部１３，１３よりも底辺部１６に近接して設けられている。
【００２４】
また、刺突突起部１３，１３は、平面三角形状の切り起こし片部として形成されている。
【００２５】
図２は、このビョウ１０の使用例として、掛け時計７０を取付面部としての壁６０に掛けた状態を示している。
【００２６】
検証試験の結果、このビョウ１０は、４ｋｇ程度の物品までは、安定して掛けることができることが分かった。
【００２７】
なお、掛け時計７０は、裏面に設けられた図示省略の鍵穴状の穴に、このビョウ１０の物品保持部１２が差し込まれて掛けられており、さらに、物品保持部１２の先端には、抜け止め用の拡径部１５が設けられており、拡径部１５が鍵穴状の穴に係止することにより、掛け時計７０はビョウ１０を介して壁６０に固定される。
【００２８】
また、図示は省略したが、掛け時計７０の他に、コンセント穴を有するタップを掛け止めすることなどにも用いることができる。
【００２９】
一方、図３（ａ）及び図３（ｂ）は、本考案の第１実施形態の取り外し具５０の概略構成を示している。
【００３０】
この取り外し具５０は、図３（ａ）及び図３（ｂ）に示したように、刺突突起部１３，１３により壁６０などの取付面部に固定されたビョウ１０を抜き取り可能に形成された取り外し具である。
そして、取り外し具本体５１は全体平面細長板状に形成され、長さ方向一端部５２寄りの一方の面部には、ビョウ１０に形成された抜き取り用孔部１４に挿入係止しうる凸部５３が形成されると共に、長さ方向他端部には、後述する本考案の第４実施形態のビョウ４０の取付面固定面部４１に形成された折曲片部４４と壁６０などの取付面部との間に挿入しうる差し込み部５４が形成され、取り外し具本体５１は、凸部５３と差し込み部５４との間において、凸部５３寄りの部位で凸部５３方向に湾曲する第一の湾曲部５５と、差し込み部５４寄りの部位で反凸部５３方向に湾曲する第二の湾曲部５６とを有し、差し込み部５４は、凸部５３方向に折曲形成された構成とされている。
【００３１】
なお、この取り外し具５０は、後述する本考案の第２実施形態のビョウ２０や本考案の第３実施形態のビョウ３０を抜き取る際にも使用することもできる。
【００３２】
また、この取り外し具５０は、図３（ａ）に示したように、長さ方向他端部側、すなわち、差し込み部５４側に、特に、本考案の第１実施形態のビョウ１０、第２実施形態のビョウ２０、及び第３実施形態のビョウ３０を抜き取るとき手で持ち易いように、拡幅部５７を有している。さらに、引っ掛け部に吊るして保管できるように、吊用の孔５８も設けられている。
【００３３】
次に、この第１実施形態の作用効果について説明する。
【００３４】
この本考案の第１実施形態のビョウ１０は、図１及び図２に示したように、取付面固定面部１１と、取付面固定面部１１に連設された物品保持部１２と、取付面固定面部１１から裏面側に切り起こされて形成された刺突突起部１３，１３と、取り外し具５０により取り外すための取り外し部としての抜き取り用孔部１４とを備え、刺突突起部１３，１３を壁６０などの取付面部に刺突することにより取付面固定面部１１を壁６０などの取付面部に固定し、物品保持部１２により掛け時計７０などの物品を保持して壁６０などの取付面部に固定するビョウであって、取り外し部としての抜き取り用孔部１４は取付面固定面部１１の周縁部に設けられた構成とされている。
【００３５】
従って、従来のビョウに比して、抜き取るとき支点となる取付面固定面部１１の縁部としての頂角部１７と取り外し部としての抜き取り用孔部１４との間の長さが相対的に長くなる。
【００３６】
その結果、従来のビョウに比して、抜き取るとき支点となる取付面固定面部１１の縁部としての頂角部１７と取り外し部としての抜き取り用孔部１４との間の長さが相対的に長くなるので、取り外し具５０でこのビョウ１０を抜き取るに際し、てこの原理がより有利に働き、小さな力で、さらにより容易に抜き取ることができる。
【００３７】
より具体的には、このビョウ１０は、取付面固定面部１１は平面略逆三角形の板状に形成され、頂角部１７には突起により形成された物品保持部１２が設けられると共に、一対の対向する底角部には、夫々、刺突突起部１３，１３が設けられ、取り外し部は貫通して形成された抜き取り用孔部１４として形成されており、取り外し部としての抜き取り用孔部１４は刺突突起部１３，１３よりも底辺部に近接して設けられている。
【００３８】
従って、取り外し部が抜き取り用孔１４なので、使用しなくてはならない材料がその分少なくなり、さらに、突起により形成された物品保持部１２に掛け時計７０や図示省略のタップなどの物品を引っ掛けて固定することができる。
【００３９】
その結果、取り外し部が抜き取り用孔１４なので、使用しなくてはならない材料がその分少なくなり、さらに、突起により形成された物品保持部１２に掛け時計７０や図示省略のタップなどの物品を引っ掛けて固定することができるので、製造コストを低減することができるうえに、壁６０などの取付面部に容易に掛け時計７０や図示省略のタップなどの物品を引っ掛けることができる箇所を形成することができる。
【００４０】
さらに、このビョウ１０は、刺突突起部１３，１３は、平面三角形状の切り起こし片部として形成されている。
【００４１】
従って、刺突突起部１３，１３の形成が容易なうえに、使用しなくてはならない材料もその分少なくなる。
【００４２】
その結果、刺突突起部１３，１３の形成が容易なうえに、使用しなくてはならない材料もその分少なくなるので、さらにより製造コストを低減することができる。
【００４３】
本考案に係る第１実施形態の取り外し具５０は、図３（ａ）及び図３（ｂ）に示したように、刺突突起部１３，１３により壁６０などの取付面部に固定されたビョウ１０を抜き取り可能に形成された取り外し具であって、取り外し具本体５１は全体平面細長板状に形成され、長さ方向一端部５２寄りの一方の面部には、ビョウ１０に形成された抜き取り用孔部１４に挿入係止しうる凸部５３が形成されると共に、長さ方向他端部には、後述する本考案の第４実施形態のビョウ４０の取付面固定面部４１に形成された折曲片部４４と壁６０などの取付面部との間に挿入しうる差し込み部５４が形成され、取り外し具本体５１は、凸部５３と差し込み部５４との間において、凸部５３寄りの部位で凸部５３方向に湾曲する第一の湾曲部５５と、差し込み部５４寄りの部位で反凸部５３方向に湾曲する第二の湾曲部５６とを有し、差し込み部５４は、凸部５３方向に折曲形成された構成とされている。
【００４４】
従って、本考案に係る第１実施形態のビョウ１０をはじめ、後述する本考案に係る第２実施形態のビョウ２０、第３実施形態のビョウ３０、及び第４実施形態のビョウ４０いずれの取り外しにも用いることができる。
その結果、本考案に係る第１実施形態のビョウ１０をはじめ、後述する本考案に係る第２実施形態のビョウ２０、第３実施形態のビョウ３０、及び第４実施形態のビョウ４０いずれの取り外しにも用いることができるので、製造側は、それぞれのビョウ１０，２０，３０，４０に対応した取り外し具を製造する必要がないことから、全体の製造コストを低減することができ、使用者側は、それぞれのビョウ１０，２０，３０，４０を抜き取るに際し、１つの取り外し具さえあればよく便利である。
【００４５】
［第２実施形態］
次に、第２実施形態について説明する。
【００４６】
なお、第１実施形態で説明した内容と同一乃至均等な部分の説明については同一符号を付して説明する。
【００４７】
図４（ａ）及び図４（ｂ）は、本考案の第２実施形態のビョウ２０の概略構成を示している。
【００４８】
この第２実施形態のビョウ２０では、図４（ａ）及び図４（ｂ）に示したように、平面略逆三角形の板状の取付面固定面部２１の頂角部から下方へフック型の突起により形成された物品保持部２２が設けられている。
【００４９】
従って、図５に示したように、フック型の突起により形成された物品保持部２２にカバン７１などの物品を引っ掛けて固定することができる。
【００５０】
その結果、フック型の突起により形成された物品保持部２２にカバン７１などの物品を引っ掛けて固定することができるので、壁６０などの取付面部に容易にカバン７１などの物品を引っ掛けることができる箇所を形成することができる。
【００５１】
なお、他の構成及び作用効果については、第１実施形態と略同様であるので説明を省略する。
【００５２】
［第３実施形態］
次に、第３実施形態について説明する。
【００５３】
なお、第１実施形態で説明した内容と同一乃至均等な部分の説明については同一符号を付して説明する。
【００５４】
図６（ａ）及び図６（ｂ）は、本考案の第３実施形態のビョウ３０の概略構成を示している。
【００５５】
この第３実施形態のビョウ３０では、図６（ａ）及び図６（ｂ）に示したように、平面略逆五角形の板状の取付面固定面部３１の一対の対向する側辺部から、夫々、表側へ突出された挟持片により形成された物品保持部３２，３２が設けられている。
【００５６】
従って、図７に示したように、挟持片により形成された物品保持部３２，３２で杖７２や図示省略の傘などの細長い物品を挟持することができる。
【００５７】
その結果、挟持片により形成された物品保持部３２，３２で杖７２や図示省略の傘などの細長い物品を挟持することができるので、壁６０などの取付面部に容易に杖７２や図示省略の傘などの細長い物品を挟持することができる箇所を形成することができる。
【００５８】
なお、他の構成及び作用効果については、第１実施形態と略同様であるので説明を省略する。
【００５９】
［第４実施形態］
次に、第４実施形態について説明する。
【００６０】
なお、第１実施形態で説明した内容と同一乃至均等な部分の説明については同一符号を付して説明する。
【００６１】
図８（ａ）及び図８（ｂ）は、本考案の第４実施形態のビョウ４０の概略構成を示している。
【００６２】
この第４実施形態のビョウ４０では、図８（ａ）及び図８（ｂ）に示したように、物品保持部は側面略逆コ字形のベルト状に形成され、壁６０などの取付面部との間にケーブル７３を保持するケーブル保持部４２として形成されると共に、取付面固定面部４１，４１は、ケーブル保持部４２の両側部において、夫々、側方へ延設された一対の固定片部として形成され、取り外し部は、取付面固定面部４１，４１の周縁部の互いに対角線方向に対向して形成された折曲片部４４，４４として構成されている。
【００６３】
従って、図９に示したように、取り外し部が取付面固定面部４１の周縁部の一部に形成された折曲片部４４なので、容易に形成することができ、壁６０や床などの取付面部に刺突突起部１３，１３を刺突するだけで、ケーブル７３を保持するケーブル保持部が形成される。
【００６４】
その結果、取り外し部が取付面固定面部４１の周縁部の一部に形成された折曲片部４４なので、容易に形成することができ、壁６０や床などの取付面部に刺突突起部１３，１３を刺突するだけで、ケーブル７３を保持するケーブル保持部が形成されるので、壁６０や床などの取付面部に容易にケーブル７３を配設することができる箇所を形成することができる。
【００６５】
なお、上記したように、このビョウ４０を抜き取る際は、図３（ａ）及び図３（ｂ）に示した取り外し具５０の差し込み部５４が壁６０などの取付面部と折曲片部４４との間に差し込まれ、抜き取ることができる。
【００６６】
この際、取り外し具５０の湾曲した面が支点となって、取り外し具５０側にもてこの原理が働き、より容易にビョウ４０を抜き取ることができる。
【００６７】
なお、他の構成及び作用効果については、第１実施形態と略同様であるので説明を省略する。
【００６８】
以上、本考案に係るビョウ及び取り外し具の第１実施形態〜第４実施形態について図面を参照して詳述してきたが、具体的な構成は、これら第１実施形態〜第４実施形態に限らず、本考案の要旨を逸脱しない程度の設計的変更は、本考案に含まれる。
【産業上の利用可能性】
【００６９】
本考案に係るビョウ及び取り外し具は、物品を保持して壁や床などの取付面部に固定することができるビョウと、このビョウを抜き取るための取り外し具として広く実施することができ、産業上の利用可能性を有している。
【符号の説明】
【００７０】
１０    ビョウ
１１    取付面固定面部
１２    物品保持部
１３    刺突突起部
１４    抜き取り用孔部（取り外し部）
１５    抜け止め用の拡径部
１６    底辺部
１７    頂角部
２０    ビョウ
２１    取付面固定面部
２２    物品保持部
３０    ビョウ
３１    取付面固定面部
３２    物品保持部
４０    ビョウ
４１    取付面固定面部
４２    ケーブル保持部（物品保持部）
４４    折曲片部（取り外し部）
５０    取り外し具
５１    取り外し具本体
５２    取り外し具の長さ方向一端部
５３    凸部
５４    差し込み部
５５    第一の湾曲部
５６    第二の湾曲部
５７    拡幅部
５８    吊用の孔
６０    壁（取付面部）
７０    掛け時計（物品）
７１    カバン（物品）
７２    杖（物品）
７３    ケーブル（物品）
【図１】
0003213011.tif 000003
【図２】
0003213011.tif 000004
【図３】
0003213011.tif 000005
【図４】
0003213011.tif 000006
【図５】
0003213011.tif 000007
【図６】
0003213011.tif 000008
【図７】
0003213011.tif 000009
【図８】
0003213011.tif 000010
【図９】
0003213011.tif 000011